(57)【要約】      （修正有）【課題】運動による効果を向上させるための負荷片を備えながらも、着用時のシルエットが自然なものとなり、日常のあらゆる場面で着用することが可能な上半身用衣服を提供する。【解決手段】ウェア本体１とインナー２とを備え、インナー２とウェア本体１の肩部どうし、および襟ぐりどうしを縫着することで、両者１・２が一体化される。インナー２は、伸縮性生地からなるインナー本体と、低伸縮かつ高弾力のメッシュ生地からなる負荷片とを備える。第１負荷片は、アンダーバスト部分の高さを左右に横断する横長の基部と、基部の長手方向中央部から上方に連出され、着用者の乳房部の間に圧接する縦長の連出部とからなる。第２負荷片は、前身頃の左右の袖ぐりに沿って配置されている。【選択図】図１
0003143211.tif 000002
【実用新案登録請求の範囲】
【請求項１】
ウェア本体（１）と、ウェア本体（１）の内側に配置されたインナー（２）とを備えている上半身用衣服であって、
インナー（２）とウェア本体（１）の肩部どうし、および襟ぐりどうしを縫着することで、インナー（２）とウェア本体（１）とが一体化されており、
インナー（２）は、インナー本体（７）と、インナー本体（７）の前身頃（８）に一体化された第１負荷片（１１）および第２負荷片（１２）とを備えており、これら第１負荷片（１１）および第２負荷片（１２）は、インナー本体（７）の素材生地に比べて低伸縮かつ高弾力のメッシュ生地で形成されており、
第１負荷片（１１）は、アンダーバスト部分の高さを左右に横断する横長の基部（１１ａ）と、基部（１１ａ）の長手方向中央部から上方に連出され、着用者の乳房部の間に圧接する縦長の連出部（１１ｂ）とからなる逆Ｔ字状を呈しており
基部（１１ａ）の左右端部は、前身頃（８）の左右脇縁に至り、連出部（１１ｂ）の上端部は、前身頃（８）の襟ぐりの中央部に至っており、
第２負荷片（１２）は、前身頃（８）の左右の袖ぐりに沿って配置されており、
各第２負荷片（１２）の上端部は、前身頃（８）の肩部周縁に至り、各第２負荷片（１２）の下端部は、前身頃（８）の左右脇縁に至って基部（１１ａ）の左右端部に重なっていることを特徴とする上半身用衣服。
【請求項２】
負荷片（１１・１２）と同種のメッシュ生地からなり、着用者の背筋を伸びた状態に維持する背筋矯正片（１３）が、インナー本体（７）の後身頃（９）に一体化されており、
背筋矯正片（１３）は、着用者の背中の中央部において交差するＸ字状を呈しており、
背筋矯正片（１３）の左右の下端部は、後身頃（９）の裾部あるいは左右脇縁に至り、背筋矯正片（１３）の左右の上端部は、後身頃（９）の肩部周縁に至って、第２負荷片（１２）の上端部と縫合されている請求項１記載の上半身用衣服。
【考案の詳細な説明】
【技術分野】
【０００１】
本考案は、着用者の筋肉に負荷を与えて運動による効果を向上させるための負荷片を備えた上半身用衣服に関する。
【背景技術】
【０００２】
習慣的に運動することの重要性は、多くの人に認識されているところであるが、日々の仕事に追われるサラリーマンやＯＬなどにあっては、運動に充てる時間を簡単には捻出できないのが現実である。そこで、短い運動時間であっても高い効果が得られるように、筋肉に負荷を与える衣服を着用しながら運動を行うことが提案されている。この種の衣服は例えば特許文献１に公知である。
【０００３】
【特許文献１】特開２００８−２０１３号公報
【考案の開示】
【考案が解決しようとする課題】
【０００４】
しかし特許文献１の衣服は、着用すると衣服全体が上半身に密着するので、上半身の体形が露わになるのを避けられず、スポーツジムやフィットネスクラブなどで着用することはできても、通常の外着として使用するにはためらいと抵抗感がある。この衣服の上に通常のシャツなどを着用することも考えられるが、２着の衣服を別々に着用するのは煩わしい。
【０００５】
本考案の目的は、運動による効果を向上させるための負荷片を備えながらも、着用時のシルエットが自然なものとなり、日常のあらゆる場面で着用することが可能な上半身用衣服を提供することにある。
【課題を解決するための手段】
【０００６】
本考案は、ウェア本体１と、ウェア本体１の内側に配置されたインナー２とを備えている上半身用衣服を対象とする。インナー２とウェア本体１の肩部どうし、および襟ぐりどうしを縫着することで、インナー２とウェア本体１とが一体化されている。インナー２は、インナー本体７と、インナー本体７の前身頃８に一体化された第１負荷片１１および第２負荷片１２とを備えており、これら第１負荷片１１および第２負荷片１２は、インナー本体７の素材生地に比べて低伸縮かつ高弾力のメッシュ生地で形成されている。第１負荷片１１は、アンダーバスト部分の高さを左右に横断する横長の基部１１ａと、基部１１ａの長手方向中央部から上方に連出され、着用者の乳房部の間に圧接する縦長の連出部１１ｂとからなる逆Ｔ字状を呈している。基部１１ａの左右端部は、前身頃８の左右脇縁に至り、連出部１１ｂの上端部は、前身頃８の襟ぐりの中央部に至っている。第２負荷片１２は湾曲した帯状を呈し、前身頃８の左右の袖ぐりに沿って配置されている。そして、各第２負荷片１２の上端部は、前身頃８の肩部周縁に至り、各第２負荷片１２の下端部は、前身頃８の左右脇縁に至って基部１１ａの左右端部に重なっていることを特徴とする。なおウェア本体１は、Ｔシャツやスウェットシャツなど任意の衣類から選択することができ、その形状や素材は特に限定されない。
【０００７】
負荷片１１・１２と同種のメッシュ生地からなり、着用者の背筋を伸びた状態に維持する背筋矯正片１３が、インナー本体７の後身頃９に一体化される形態を採ることができる。具体的には、背筋矯正片１３は、着用者の背中の中央部において交差するＸ字状を呈しており、背筋矯正片１３の左右の下端部は、後身頃９の裾部あるいは左右脇縁に至り、背筋矯正片１３の左右の上端部は、後身頃９の肩部周縁に至って、第２負荷片１２の上端部と縫合されている。
【考案の効果】
【０００８】
本考案に係る上半身用衣服は、ウェア本体１の内側のインナー２が、第１負荷片１１および第２負荷片１２を備えている。第１負荷片１１は、アンダーバスト部分の高さを左右に横断する横長の基部１１ａと、基部１１ａの長手方向中央部から上方に連出され、着用者の乳房部の間に圧接する縦長の連出部１１ｂとからなり、第２負荷片１２は、前身頃８の左右の袖ぐりに沿って配置される。かかる上半身用衣服を着用すれば、アンダーバストまわりから肩口にかけての部分に負荷が与えられるので、上半身を使った運動の効果が向上する。これら負荷片１１・１２は、上半身の弛んだ贅肉を押さえ込み補正して、体のラインをスッキリと見せる体形補正効果も有している。
【０００９】
更に、負荷片１１・１２を備えるインナー２は、肩部どうし、および襟ぐりどうしを縫着することで、ウェア本体１と一体化してあるので、インナー２が上半身に密着しても、その外側のウェア本体１が上半身に密着することはなく、着用時のシルエットが自然なものとなる。更に、ウェア本体１の肩部と襟ぐり以外の箇所にはインナー２を縫着した形跡が現れず、インナー２の存在を知られ難い。したがって、本考案に係る衣服は、人目につきやすい街中を含むあらゆる場面で堂々と着用することができる。また、各第２負荷片１２の下端部が、第１負荷片１１の基部１１ａの左右端部に重なっていると、両負荷片１１・１２が互いに相対変位することが防止されるので、両負荷片１１・１２が各部位に的確に作用する。
【００１０】
インナー本体７の後身頃９に、負荷片１１・１２と同種のメッシュ生地からなる背筋矯正片１３が配置してあると、着用者が前屈みの猫背状態に陥ろうとするのを防止して、着用者の背筋を伸びた状態に維持することができる。また、着用者の体を捻るような動きに対しては、背筋矯正片１３は負荷として作用する。特に、左右の肩部において第２負荷片１２と背筋矯正片１３とが縫合してあると、負荷片１１・１２と背筋矯正片１３とが協働して前後から着用者の上半身に負荷を与えることができるので、上半身を使った運動の効果が更に向上する。
【考案を実施するための最良の形態】
【００１１】
図１から図３は、本考案に係る上半身用衣服の実施形態を示しており、ジャージ生地で形成されるＴシャツタイプのウェア本体１と、ウェア本体１の内側に縫い止められるノースリーブタイプのインナー２とを備えている。ウェア本体１は、前身頃および後身頃と、左右一対の筒状の袖部パーツとを縫合することにより一体化して成る。インナー２は、身丈がウェア本体１よりも小さく設定されており、下端部には環状ゴム６を備えている。環状ゴム６は、帯状のオペロンゴムで構成され、起毛面が着用者の肌面に向くように配置されており、その上下幅寸法は４ｃｍに設定されている。
【００１２】
図２および図３に示すようにインナー２は、伸縮性生地からなるインナー本体７と、インナー本体７に縫着することで一体化された第１負荷片１１、第２負荷片１２、および背筋矯正片１３とを備えている。インナー本体７は、伸縮性を有する薄手の生地で形成してあり、第１・第２負荷片１１・１２および背筋矯正片１３は、インナー本体７に比べて低伸縮かつ高弾力のメッシュ生地、例えばパワーネットで形成してある。パワーネットは通風性に優れ、着用者の快適性の向上に寄与する。
【００１３】
第１負荷片１１および第２負荷片１２は、図２に示すようにインナー本体７の前身頃８に配置される。第１負荷片１１は、アンダーバスト部分の高さを左右に横断する横長の基部１１ａと、基部１１ａの長手方向中央部から上方に連出され、着用者の乳房部の間に圧接する縦長の連出部１１ｂとからなる逆Ｔ字状を呈している。基部１１ａの上下幅寸法は、連出部１１ｂの左右幅寸法よりも大きく設定してある。基部１１ａの左右端部は、前身頃８の左右脇縁に至り、連出部１１ｂの上端部は、前身頃８の襟ぐりの中央部に至っている。連出部１１ｂの下半部から基部１１ａの上側にかけての周縁１１ｃ・１１ｃは、着用者の乳房部を避けるような凹曲状に形成されている。
【００１４】
第２負荷片１２は湾曲した帯状を呈しており、前身頃８の左右の袖ぐりに沿って１つずつ配置されている。第２負荷片１２の幅寸法は、その全長に亘ってほぼ等しく設定してある。各第２負荷片１２の上端部は、前身頃８の肩部周縁に至り、各第２負荷片１２の下端部は、前身頃８の左右脇縁に至って基部１１ａに重なっている。
【００１５】
これら負荷片１１・１２を備える上半身用衣服を着用すれば、アンダーバストまわりから肩口にかけての部分に負荷が与えられるので、上半身を使った運動の効果が向上する。負荷片１１・１２は、上半身の弛んだ贅肉を押さえ込み補正して、体のラインをスッキリと見せる体形補正効果も有している。更に、負荷片１１・１２は、女性の乳房部を避けるように配置されているので、周囲を圧迫することで乳房部の膨らみを強調することができる。
【００１６】
背筋矯正片１３は、図３に示すようにインナー本体７の後身頃９に配置される。背筋矯正片１３は、着用者が前屈みの猫背状態に陥ろうとするのを防止して、背筋を伸びた状態に維持するものであり、一対の帯状片１３ａ・１３ａを着用者の背中の中央部において交差させることでＸ字状に形成してある。各帯状片１３ａの幅寸法は、その全長に亘ってほぼ等しく設定してある。各帯状片１３ａの下端部は、後身頃９の裾部に至っている。各帯状片１３ａの上端部は、後身頃９の肩部周縁に至っており、第２負荷片１２の上端部と縫合されている。
【００１７】
以上のように構成されるインナー２は、例えば次の手順のように縫製して得ることができる。まず、第１負荷片１１および第２負荷片１２を前身頃８に縫着するとともに、背筋矯正片１３を構成する一対の帯状片１３ａ・１３ａを後身頃９に縫着する。次いで、前身頃８と後身頃９の左右一方の脇部どうしを縫合して、前身頃８と後身頃９を左右に連なる状態としてから、環状ゴム６の長さに相当する直線状のゴムを、前身頃８および後身頃９の下端部に縫着する。最後に、前身頃８と後身頃９の他方の脇部どうしを縫合し（このとき直線状のゴムは、端部どうしが縫合されて環状ゴム６となる）、更に左右の肩部どうしを縫合することにより、前身頃８と後身頃９とが一体化されて、図２および図３に示すようなインナー２が完成する。
【００１８】
インナー２とウェア本体１は、肩部どうし、および襟ぐりどうしを縫着することにより一体化されている。したがって、インナー２が上半身に密着しても、その外側のウェア本体１が上半身に密着することはなく、着用時のシルエットが自然なものとなる。更に、ウェア本体１の肩部と襟ぐり以外の箇所にはインナー２を縫着した形跡が現れず、インナー２の存在を知られ難い。したがって、本実施形態に係る衣服は、人目につきやすい街中を含むあらゆる場面で堂々と着用することができる。
【００１９】
その他、負荷片１１・１２および背筋矯正片１３は、図面に示した形状に限られず、場合によっては２つ以上のパワーネットを一体とすることができる。パワーネットの縫着順は適宜選択することができる。パワーネットは、インナー本体７の内外どちらに配置してあってもよい。パワーネットをガードル本体７に一体化する手段は縫着に限られない。環状ゴム６は省略することもできる。
【図面の簡単な説明】
【００２０】
【図１】上半身用衣服の正面図である。
【図２】インナーを裏返した状態の正面図である。
【図３】インナーを裏返した状態の背面図である。
【符号の説明】
【００２１】
１  ウェア本体
２  インナー
６  環状ゴム
７  インナー本体
８  インナー本体の前身頃
９  インナー本体の後身頃
１１  第１負荷片
１２  第２負荷片
１３  背筋矯正片
【図１】
0003143211.tif 000003
【図２】
0003143211.tif 000004
【図３】
0003143211.tif 000005